【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
入力信号列を波形等化しつつ、その等化特性を適応化する波形等化装置において、
前記入力信号列に対して前記波形等化を行うことで等化後信号列を生成する等化手段と、
連続して流れる入力信号列から一定の間隔で検出して得られる入力信号列を用いた所定の演算を行い、この演算結果に基づいて前記等化手段の等化特性を適応化する等化適応化手段とを備えていることを特徴とする波形等化装置。
【請求項２】
前記等化手段は、複数の等化係数に対して前記入力信号列の各入力信号を順次対応付けつつ、前記各等化係数と、当該各等化係数に対応付けられた各入力信号との畳み込み演算を行うことで等化後信号列を生成するものであり、
前記等化適応化手段は、前記等化係数を変数とし、前記入力信号列の重み付け加算の相関関数の平均値を要素に持つ相関関数を係数とし、前記入力信号列の重み付け加算と目標値との積を加算回数で平均を取った値を定数とする連立方程式の解から前記複数の等化係数を導き、前記等化手段が畳み込み演算に用いる複数の等化係数を、当該等化係数に更新することにより、上記入力信号列に対する等化特性の適応化を行い、
ビタビ復号過程の進展に伴い順次計算されるパスメトリック差のうち、ビタビ復号にとって理想的な波形を構成する理想波形信号を想定した場合のパスメトリック差が予め定められた特定値となるようなビット列である特定パターンを検出する特定パターン検出手段を備え、
前記特定パターン検出手段によって検出された特定パターンのうち、連続して検出された特定パターンから一定の間隔で検出した当該特定パターンに対応する前記入力信号列の重み付け加算の相関関数の平均値と、前記入力信号列の重み付け加算と前記目標値との積を加算回数で平均を取った値を用いて前記適応化を行うことを特徴とする請求項１に記載の波形等化装置。
【請求項３】
入力信号列を波形等化しつつ、その等化特性を適応化する波形等化装置において、
前記入力信号列に対して前記波形等化を行うことで等化後信号列を生成する等化手段と、
前記入力信号列に基づいて前記等化手段の等化特性を適応化する等化適応化手段とを備え、
前記等化適応化手段は、連続して流れる入力信号列から一定の間隔で検出して得られる入力信号列を用いて所定の演算を行うと共に、この演算結果を蓄積し、蓄積結果に基づいて前記適応化を行うことを特徴とする波形等化装置。
【請求項４】
前記等化適応化手段は、
前記等化後信号列に対するビタビ復号過程における正解パスと誤りパスとのパスメトリック差を検出するパスメトリック差検出手段を備え、
前記パスメトリック差検出手段によって、ビタビ復号過程の進展に伴い順次計算されるパスメトリック差を用いて前記適応化を行うことを特徴とする請求項３に記載の波形等化装置。
【請求項５】
前記等化適応化手段は、
ビタビ復号過程の進展に伴い順次計算されるパスメトリック差のうち、ビタビ復号にとって理想的な波形を構成する理想波形信号を想定した場合のパスメトリック差が予め定められた特定値となるようなビット列である特定パターンを検出する特定パターン検出手段を備え、
前記特定パターン検出手段によって検出された特定パターンのうち、連続して検出された特定パターンから一定の間隔で検出した当該特定パターンに対応する入力信号列のパスメトリック差を用いて前記適応化を行うことを特徴とする請求項４に記載の波形等化装置。
【請求項６】
前記等化手段は、複数の等化係数に対して前記入力信号列の各入力信号を順次対応付けつつ、前記各等化係数と、当該各等化係数に対応付けられた各入力信号との畳み込み演算を行うことで等化後信号列を生成するものであり、
前記等化適応化手段は、前記等化係数を変数とし、前記入力信号列の重み付け加算の相関関数の平均値を要素に持つ相関関数を係数とし、前記入力信号列の重み付け加算と目標値との積を加算回数で平均を取った値を定数とする連立方程式の解から前記複数の等化係数を導き、前記等化手段が畳み込み演算に用いる複数の等化係数を、当該等化係数に更新することにより、上記入力信号列に対する等化特性の適応化を行い、
ビタビ復号過程の進展に伴い順次計算されるパスメトリック差のうち、ビタビ復号にとって理想的な波形を構成する理想波形信号を想定した場合のパスメトリック差が予め定められた特定値となるようなビット列である特定パターンを検出する特定パターン検出手段を備え、
前記特定パターン検出手段によって検出された特定パターンのうち、連続して検出された特定パターンから一定の間隔で検出した当該特定パターンに対応する前記入力信号列の重み付け加算の相関関数の平均値と、前記入力信号列の重み付け加算と前記目標値との積を加算回数で平均を取った値を用いて前記適応化を行うことを特徴とする請求項３に記載の波形等化装置。
【請求項７】
前記等化適応化手段は、前記入力信号列に対する所定の演算の演算数及び演算範囲に応じて、前記演算および演算結果の蓄積の間隔を可変とすることを特徴とする請求項３から６のいずれか１項に記載の波形等化装置。
【請求項８】
入力信号列を波形等化しつつ、その等化特性を適応化する波形等化装置において、
前記入力信号列に対して前記波形等化を行うことで等化後信号列を生成する等化手段と、
前記入力信号列に基づいて前記等化手段の等化特性を適応化する等化適応化手段と、
前記等化後信号列に対するビタビ復号過程における正解パスと誤りパスとのパスメトリック差を検出するパスメトリック差検出手段と、
ビタビ復号過程の進展に伴って順次計算されるパスメトリック差のうち、前記パスメトリック差検出手段によって連続して流れる入力信号列を任意の間隔で検出された入力信号列の特定パターンにおけるパスメトリック差の所定の目標値に対する誤差に基づいて、前記各等化特性を逐次更新する等化特性更新手段とを備えていることを特徴とする波形等化装置。
【請求項９】
請求項１〜８の何れか１項に記載の波形等化装置に加えて、
情報記録媒体から前記入力信号列を再生する再生手段を備えていることを特徴とする情報再生装置。
【請求項１０】
入力信号列を波形等化しつつ、その等化特性を適応化する波形等化方法において、
前記入力信号列に対して前記波形等化を行うことで等化後信号列を生成する等化ステップと、
連続して流れる入力信号列を任意の間隔で検出した入力信号列を用いた所定の演算を行い、この演算結果に基づいて前記等化特性を適応化する等化適応化ステップとを含むことを特徴とする波形等化方法。
【請求項１１】
入力信号列を波形等化しつつ、その等化特性を適応化する波形等化方法において、
前記入力信号列に対して前記波形等化を行うことで等化後信号列を生成する等化ステップと、
前記入力信号列に基づいて前記等化ステップの等化特性を適応化する等化適応化ステップとを含み、
前記等化適応化ステップは、連続して流れる入力信号列を任意の間隔で検出した入力信号列を用いて所定の演算を行うと共に、この演算結果を蓄積し、蓄積結果に基づいて前記適応化を行うことを特徴とする波形等化方法。
【請求項１２】
入力信号列を波形等化しつつ、その等化特性を適応化する波形等化方法において、
前記入力信号列に対して前記波形等化を行うことで等化後信号列を生成する等化ステップと、
前記入力信号列に基づいて前記等化ステップの等化特性を適応化する等化適応化ステップと、
前記等化後信号列に対するビタビ復号過程における正解パスと誤りパスとのパスメトリック差を検出するパスメトリック差検出ステップと、
ビタビ復号過程の進展に伴って順次計算されるパスメトリック差のうち、前記パスメトリック差検出ステップによって連続して流れる入力信号列から任意の間隔で検出された入力信号列の特定パターンにおけるパスメトリック差の所定の目標値に対する誤差に基づいて、前記各等化特性を逐次更新する等化特性更新ステップとを含んでいることを特徴とする波形等化方法。
【請求項１３】
コンピュータを、請求項１から８の何れか１項に記載の波形等化装置の前記各手段として機能させるための波形等化プログラム。
【請求項１４】
請求項１３に記載の波形等化プログラムを記録したコンピュータ読み取り可能な記録媒体。
【手続補正２】
【補正対象書類名】明細書
【補正対象項目名】００５４
【補正方法】変更
【補正の内容】
【００５４】
ＦＩＲフィルタ４に再生信号が入力されると、ＦＩＲフィルタ４により波形等化処理が施されて等化後信号ｙ（ｉ−１，ｎ）が出力される。等化後信号ｙ（ｉ−１，ｎ）は、再生信号ｕ（ｉ−１，ｎ）に対応する等化後信号である。等化後信号ｙ（ｉ−１，ｎ）は、タップ係数ｃ（ｋ）と再生信号列ｕ（ｉ−ｋ，ｎ）との畳み込み演算（以下の（１）式）により表される。
【手続補正３】
【補正対象書類名】明細書
【補正対象項目名】００５５
【補正方法】変更
【補正の内容】
【００５５】
【数１】
2006351096.tif 000001
【手続補正４】
【補正対象書類名】明細書
【補正対象項目名】００５６
【補正方法】変更
【補正の内容】
【００５６】
つまり、ＦＩＲフィルタ４は、複数のタップ係数ｃ（ｋ）（ｋ＝０，１，２）に対して、再生信号列ｕ（ｉ−ｋ、ｎ）の各再生信号を各タップ係数に順次対応づけつつ、各タップ係数と、各タップ係数に対応づけられた各入力信号との畳み込み演算を行うことで等化後信号列ｙ（ｉ−１，ｎ）を生成する。
【手続補正５】
【補正対象書類名】明細書
【補正対象項目名】００８１
【補正方法】変更
【補正の内容】
【００８１】
【数２】
2006351096.tif 000002
【手続補正６】
【補正対象書類名】明細書
【補正対象項目名】００８３
【補正方法】変更
【補正の内容】
【００８３】
【数３】
2006351096.tif 000003